【手続補正書】
【提出日】平成17年12月22日(2005.12.22)
【手続補正１】
【補正対象書類名】明細書
【補正対象項目名】発明の名称
【補正方法】変更
【補正の内容】
【発明の名称】遊技用システム
【手続補正２】
【補正対象書類名】明細書
【補正対象項目名】特許請求の範囲
【補正方法】変更
【補正の内容】
【特許請求の範囲】
【請求項１】
遊技に使用可能とされた遊技用有価価値の大きさを特定可能な情報が記録された遊技用記録媒体を受付けて該受付けた遊技用記録媒体の記録情報を少なくとも読み出すリーダライタを備え、該リーダライタにて読み出した記録情報より特定される遊技用有価価値の大きさを該大きさの範囲内において遊技に使用させるための使用処理と、
遊技者からの入金を受付けて該受付けた入金額の範囲内の所定額に相当する大きさの遊技用有価価値を、前記受付けた遊技用記録媒体の記録情報より特定される大きさの遊技用有価価値に加算更新する価値加算処理と、
前記遊技用記録媒体を収容する収容部を備え、所定の回収条件の成立に基づいて前記受付けた遊技用記録媒体を前記収容部に回収するとともに、該回収時に当該遊技用装置に個別に付与された装置識別情報と遊技用記録媒体を回収したことを示す回収情報とを送信し、前記使用処理によって前記遊技用有価価値の大きさが無くなったときには、当該遊技用有価価値の大きさが無くなった遊技用記録媒体を、再度使用可能な状態にて前記リーダライタ内に残留させる処理と、
を行う制御部を有する遊技用装置と、
前記遊技用装置と通信接続され、
前記回収情報が入力される入力部と、
前記入力部にて入力された回収情報に基づき、前記収容部に収容されている遊技用記録媒体の収容枚数を遊技用装置毎に集計する集計手段と、
前記集計手段にて集計した遊技用装置毎の遊技用記録媒体の収容枚数を出力する出力手段と、
を備える遊技用管理装置と、
から成ることを特徴とする遊技用システム。
【請求項２】
前記回収情報には、該回収された遊技用記録媒体を特定可能な識別情報が含まれており、
前記遊技用管理装置は、前記遊技用装置の収容部に収容されている遊技用記録媒体の前記識別情報を管理する請求項１に記載の遊技用システム。
【請求項３】
前記遊技用管理装置は、前記遊技用装置が設置された遊技島毎に前記遊技用記録媒体の収容枚数を集計して出力する請求項１または２に記載の遊技用システム。
【請求項４】
前記遊技用管理装置は、前記遊技用装置が設置されている遊技場における前記遊技用記録媒体の収容枚数の総数を算出して出力する請求項１〜３のいずれかに記載の遊技用システム。
【請求項５】
前記遊技用管理装置は、前記収容枚数が予め定められた所定の上限枚数以上となった遊技用装置を特定可能に出力する請求項１〜４のいずれかに記載の遊技用システム。
【請求項６】
前記遊技用装置は、前記収容部に収容されている遊技用記録媒体を取り出すための開閉部を備えるとともに、該開閉部の開閉状況に関する情報を出力し、前記遊技用管理装置は、前記遊技用装置から出力された情報に基づき前記開閉部が開放されている遊技用装置を特定可能に出力する請求項１〜５のいずれかに記載の遊技用システム。
【請求項７】
前記遊技用装置は、前記使用処理にて使用された遊技用有価価値の大きさを特定可能な情報を出力し、前記遊技用管理装置は、前記遊技用装置から出力された情報に基づき前記使用処理にて使用された遊技用有価価値の大きさを集計して出力する請求項１〜６のいずれかに記載の遊技用システム。
【請求項８】
前記遊技用装置は、前記価値加算処理に供された価値加算額または該価値加算処理にて加算された遊技用有価価値の大きさを特定可能な情報を出力し、前記遊技用管理装置は、前記遊技用装置から出力された情報に基づき前記価値加算処理に供された価値加算額または該価値加算処理にて加算された遊技用有価価値の大きさを集計して出力する請求項１〜７のいずれかに記載の遊技用システム。
【手続補正３】
【補正対象書類名】明細書
【補正対象項目名】０００１
【補正方法】変更
【補正の内容】
【０００１】
【発明の属する技術の分野】
本発明は、遊技に使用可能とされたプリペイドカード等の遊技用記録媒体、特に使用済みとなった遊技用記録媒体を回収して繰り返し使用可能とされたリサイクル型の遊技用記録媒体を管理する遊技用管理装置を有する遊技用システムに関する。
【手続補正４】
【補正対象書類名】明細書
【補正対象項目名】０００６
【補正方法】変更
【補正の内容】
【０００６】
よって、本発明は上記した問題点に着目してなされたもので、各遊技用装置内に回収された遊技用記録媒体の枚数を容易に把握することができる遊技用システムを提供することを目的としている。
【手続補正５】
【補正対象書類名】明細書
【補正対象項目名】０００７
【補正方法】変更
【補正の内容】
【０００７】
【課題を解決するための手段】
前記した問題を解決するために、本発明の遊技用システムは、
遊技に使用可能とされた遊技用有価価値の大きさを特定可能な情報が記録された遊技用記録媒体を受付けて該受付けた遊技用記録媒体の記録情報を少なくとも読み出すリーダライタを備え、該リーダライタにて読み出した記録情報より特定される遊技用有価価値の大きさを該大きさの範囲内において遊技に使用させるための使用処理と、
遊技者からの入金を受付けて該受付けた入金額の範囲内の所定額に相当する大きさの遊技用有価価値を、前記受付けた遊技用記録媒体の記録情報より特定される大きさの遊技用有価価値に加算更新する価値加算処理と、
前記遊技用記録媒体を収容する収容部を備え、所定の回収条件の成立に基づいて前記受付けた遊技用記録媒体を前記収容部に回収するとともに、該回収時に当該遊技用装置に個別に付与された装置識別情報と遊技用記録媒体を回収したことを示す回収情報とを送信し、前記使用処理によって前記遊技用有価価値の大きさが無くなったときには、当該遊技用有価価値の大きさが無くなった遊技用記録媒体を、再度使用可能な状態にて前記リーダライタ内に残留させる処理と、
を行う制御部を有する遊技用装置と、
前記遊技用装置と通信接続され、
前記回収情報が入力される入力部と、
前記入力部にて入力された回収情報に基づき、前記収容部に収容されている遊技用記録媒体の収容枚数を遊技用装置毎に集計する集計手段と、
前記集計手段にて集計した遊技用装置毎の遊技用記録媒体の収容枚数を出力する出力手段と、
を備える遊技用管理装置と、
から成ることを特徴としている。
この特徴によれば、前記遊技用装置の収容部に収容されている遊技用記録媒体の収容枚数が、受信した装置識別情報と回収情報とに基づき遊技用管理装置において遊技用装置毎に集計されて出力されるため、各遊技用装置に収容されている遊技用記録媒体の収容枚数を容易に把握することができる。
【手続補正６】
【補正対象書類名】明細書
【補正対象項目名】０００８
【補正方法】変更
【補正の内容】
【０００８】
本発明の請求項２の遊技用システムは、請求項１に記載の遊技用システムであって、
前記回収情報には、該回収された遊技用記録媒体を特定可能な識別情報が含まれており、
前記遊技用管理装置は、前記遊技用装置の収容部に収容されている遊技用記録媒体の前記識別情報を管理することを特徴としている。
この特徴によれば、遊技用管理装置において、前記遊技用装置に収容された遊技用記録媒体を特定できる。
【手続補正７】
【補正対象書類名】明細書
【補正対象項目名】０００９
【補正方法】変更
【補正の内容】
【０００９】
本発明の請求項３の遊技用システムは、請求項１または２に記載の遊技用システムであって、
前記遊技用管理装置は、前記遊技用装置が設置された遊技島毎に前記遊技用記録媒体の収容枚数を集計して出力することを特徴としている。
この特徴によれば、遊技用管理装置において、前記遊技用装置が設置された遊技島毎に遊技用記録媒体の収容枚数を把握することができる。
【手続補正８】
【補正対象書類名】明細書
【補正対象項目名】００１０
【補正方法】変更
【補正の内容】
【００１０】
本発明の請求項４の遊技用システムは、請求項１〜３のいずれかに記載の遊技用システムであって、
前記遊技用管理装置は、前記遊技用装置が設置されている遊技場における前記遊技用記録媒体の収容枚数の総数を算出して出力することを特徴としている。
この特徴によれば、遊技用管理装置において、遊技場全体の遊技用記録媒体の収容枚数を把握することができる。
【手続補正９】
【補正対象書類名】明細書
【補正対象項目名】００１１
【補正方法】変更
【補正の内容】
【００１１】
本発明の請求項５の遊技用システムは、請求項１〜４のいずれかに記載の遊技用システムであって、
前記遊技用管理装置は、前記収容枚数が予め定められた所定の上限枚数以上となった遊技用装置を特定可能に出力することを特徴としている。
この特徴によれば、遊技用管理装置において、遊技用記録媒体の収容枚数が上限に達している遊技用装置を把握することができる。
【手続補正１０】
【補正対象書類名】明細書
【補正対象項目名】００１２
【補正方法】変更
【補正の内容】
【００１２】
本発明の請求項６の遊技用システムは、請求項１〜５のいずれかに記載の遊技用システムであって、
前記遊技用装置は、前記収容部に収容されている遊技用記録媒体を取り出すための開閉部を備えるとともに、該開閉部の開閉状況に関する情報を出力し、前記遊技用管理装置は、前記遊技用装置から出力された情報に基づき前記開閉部が開放されている遊技用装置を特定可能に出力することを特徴としている。
この特徴によれば、遊技用管理装置において、前記開閉部が開放されている遊技用装置を把握することができる。
【手続補正１１】
【補正対象書類名】明細書
【補正対象項目名】００１３
【補正方法】変更
【補正の内容】
【００１３】
本発明の請求項７の遊技用システムは、請求項１〜６のいずれかに記載の遊技用システムであって、
前記遊技用装置は、前記使用処理にて使用された遊技用有価価値の大きさを特定可能な情報を出力し、前記遊技用管理装置は、前記遊技用装置から出力された情報に基づき前記使用処理にて使用された遊技用有価価値の大きさを集計して出力することを特徴としている。
この特徴によれば、遊技用管理装置にて、前記遊技用装置において使用された遊技用有価価値の大きさを把握することができる。
【手続補正１２】
【補正対象書類名】明細書
【補正対象項目名】００１４
【補正方法】変更
【補正の内容】
【００１４】
本発明の請求項８の遊技用システムは、請求項１〜７のいずれかに記載の遊技用システムであって、
前記遊技用装置は、前記価値加算処理に供された価値加算額または該価値加算処理にて加算された遊技用有価価値の大きさを特定可能な情報を出力し、前記遊技用管理装置は、前記遊技用装置から出力された情報に基づき前記価値加算処理に供された価値加算額または該価値加算処理にて加算された遊技用有価価値の大きさを集計して出力することを特徴としている。
この特徴によれば、遊技用管理装置にて、前記遊技用装置において価値加算に供された価値加算額または該価値加算処理にて加算された遊技用有価価値の大きさを把握することができる。
【手続補正１３】
【補正対象書類名】明細書
【補正対象項目名】０１３６
【補正方法】削除
【補正の内容】
【手続補正１４】
【補正対象書類名】明細書
【補正対象項目名】０１３９
【補正方法】変更
【補正の内容】
【０１３９】
また、前記実施例のカードユニット３では、挿入されているＩＣカード３７から読み出された度数が０度となった場合に、該ＩＣカード３７が内部に一時残留され、新たなＩＣカード３７が挿入された場合に、前記一時残留されているＩＣカード３７が使用済みのＩＣカード３７として内蔵された回収ボックス３１９に回収されるようになっているが、本発明はこれに限定されるものではなく、例えば前記使用済みとなったＩＣカード３７がカードユニット３に対応して設けられた外付けの回収ボックスに回収されるようになっていても良い。